(57)【要約】【課題】ホログラフィック記録媒体に高エネルギの消去ビームを照射したり、物理的に破壊することなくデータ再生を不可能とする。【解決手段】ホログラフィック記録再生装置１０におけるホログラフィック記録媒体１６は、記録層１７が２つの分割記録層１７Ａ、１７Ｂからなり、その間にクロストーク層１７Ｃが設けられている。クロストーク１７Ｃ層は、記録層１７へのデータホログラム２４の多重記録が完了した後も、なお感光感度を有し、ここに、ビーム径が大きい消去用物体光ＩＯｂと消去用参照光ＩＲｅを照射して、選択性の低いクロストークホログラム２６を形成し、データホログラム２４への再生光の照射時に、必ずクロストークホログラム２６からも回折光が発生するようにする。【選択図】図２
2005189496.tif 000002
【特許請求の範囲】
【請求項１】
第１及び第２の基板の間に、多重記録可能な記録層が設けられているホログラフィック記録媒体であって、
前記記録層に、直接又はスペーサ層を介して隣接して、０．４８μｍ以上の厚みを有するクロストーク層を設けてなり、
前記クロストーク層は、前記記録層でのデータホログラムの記録時の物体光と参照光との干渉縞に対して、不感又は極低感度に設定されたことを特徴とするホログラフィック記録媒体。
【請求項２】
請求項１において、
前記記録層は厚みがｔ1、且つ、一点にＮ枚のデータホログラムが角度多重記録可能であって、前記クロストーク層の厚みｔ2は、ｔ2＜ｔ1／Ｎであることを特徴とするホログラフィック記録媒体。
【請求項３】
請求項１又は２において、前記クロストーク層は、前記記録層に対して、記録時における物体光及び参照光の入射側とは反対側に配置されたことを特徴とするホログラフィック記録媒体。
【請求項４】
請求項１又は２において、前記クロストーク層は、前記記録層を２層に分離するように、その間に配置されたことを特徴とするホログラフィック記録媒体。
【請求項５】
請求項１、２又は３において、前記記録層と前記クロストーク層との間に樹脂製スペーサ層を設けたことを特徴とするホログラフィック記録媒体。
【請求項６】
ホログラフィック記録媒体における記録層に多重記録されたデータホログラムに対して、記録層に実質的に隣接して設けられ、且つ、前記記録層でのデータホログラムの記録時の物体光と参照光との干渉縞に対して、不感又は極低感度に設定されたクロストーク層に、クロストークホログラムを重畳して形成することを特徴とするホログラフィック記録消去方法。
【請求項７】
請求項６において、前記データホログラムは角度多重記録されていて、前記消去用参照光の、ホログラフィック記録媒体を照射するビーム径を、前記データホログラム記録時の、ホログラフィック記録媒体を照射するビーム径の２〜１０倍とすることを特徴とするホログラフィック記録消去方法。
【請求項８】
請求項７において、
前記消去用参照光を、前記ホログラフィック記録媒体に対して、記録時の参照光の入射角度変調範囲内の入射角度で照射することを特徴とするホログラフィック記録消去方法。
【請求項９】
請求項７又は８において、
前記データホログラム間の角度ピッチの複数分に相当する角度間隔の複数の入射角で、同時又は順次に前記消去用参照光を照射することを特徴とするホログラフィック記録消去方法。
【請求項１０】
請求項６乃至９のいずれかにおいて、
前記消去用物体光に、ランダムな振幅変調を付与することを特徴とするホログラフィック記録消去方法。
【請求項１１】
請求項６乃至１０のいずれかにおいて、
前記消去用物体光を、前記記録時における物体光の照射用対物レンズの開口数よりも小さい開口数の対物レンズにより照射することを特徴とするホログラフィック記録消去方法。
【請求項１２】
請求項６において、
前記データホログラムは、位相コード多重記録されていて、前記消去用参照光を、記録時に用いられた位相コードと直交しないパターンで位相コード変調することを特徴とするホログラフィック記録消去方法。
【請求項１３】
第１及び第２の基板の間に、記録層が設けられたホログラフィック記録媒体と、レーザ光源と、このレーザ光源からのレーザ光から分岐された物体光及び参照光を前記ホログラフィック記録媒体の記録層に導く物体光学系及び参照光学系と、を有してなり、前記物体光と参照光とを前記記録層に照射して、その干渉縞によりデータホログラムを形成して情報を記録し、前記参照光と同様の再生光を前記記録層に照射して回折光を発生させ、該回折光から情報を再生するホログラフィック記録再生装置であって、
前記記録層に直接又はスペーサ層を介して隣接して配置された、０．４８μｍ以上の厚みを有するクロストーク層と、前記クロストーク層に、消去用物体光及び参照光を照射してクロストークホログラムを形成する消去光学系と、を設けてなり、
前記クロストーク層は、前記データホログラムの記録時の物体光と参照光との干渉縞に対して、不感又は極低感度に設定されたことを特徴とするホログラフィック記録再生装置。
【請求項１４】
請求項１３において、
前記物体光学系及び参照光学系が前記消去光学系を兼ねていることを特徴とするホログラフィック記録再生装置。
【請求項１５】
請求項１３において、
前記消去光学系は、前記記録時の物体光及び参照光とは波長が異なる消去用物体光及び参照光を、クロストーク層に照射するようにされたことを特徴とするホログラフィック記録再生装置。
【請求項１６】
請求項１３乃至１５のいずれかにおいて、
前記記録層は厚みがｔ1、且つ、一点にＮ枚のデータホログラムが角度多重記録可能であって、前記クロストーク層の厚みｔ2は、ｔ2＜ｔ1／Ｎであることを特徴とするホログラフィック記録再生装置。
【請求項１７】
請求項１３乃至１６のいずれかにおいて、
前記消去光学系に、前記消去用物体光にランダムな振幅変調を付与する空間光変調器を設けたことを特徴とするホログラフィック記録再生装置。
【請求項１８】
請求項１３乃至１７のいずれかにおいて、
前記参照光学系に、参照光を位相コード変調するための位相空間光変調器を設けると共に、前記消去光学系に、消去用参照光を、前記記録に用いられた位相コードと直交しないパターンで位相コード変調する消去用位相空間光変調器を設けたことを特徴とするホログラフィック記録再生装置。
【発明の詳細な説明】
【技術分野】
【０００１】
この発明は、物体光と参照光とをホログラフィック記録媒体に照射して、その干渉縞により情報を記録するホログラフィック記録媒体、このホログラフィック記録媒体に記録された情報を再生不可能とするためのホログラム記録消去方法及びホログラフィック記録再生装置に関する。
【背景技術】
【０００２】
高速・大容量のストレージ技術の１つとしてホログラフィック記録が注目されている。
【０００３】
このホログラフィック記録は、物体光と参照光との干渉縞に対応して、ホログラフィック記録媒体における記録層内での記録層材料の屈折率を変化させ、ホログラムを形成するものである。
【発明の開示】
【発明が解決しようとする課題】
【０００４】
上記のように、物体光と参照光との干渉縞に応じてホログラフィック記録媒体の記録層に形成されたホログラムは、磁気記録媒体とは異なり、容易に消去することができない。
【０００５】
このため、従来は、ホログラフィック記録媒体を廃棄したりする場合、ホログラフィック記録媒体に高エネルギーの消去ビームを照射するか、物理的に破壊する以外の手段が無く、データ消去が煩雑且つ処理コストが高いという問題点があった。
【０００６】
この発明は、上記問題点に鑑みてなされたものであって、ホログラフィック記録媒体に高エネルギーの消去ビームを照射したり、物理的に破壊することなく、低コストでデータ再生を不可能とすることができるホログラフィック記録媒体、ホログラフィック記録消去方法及びホログラフィック記録再生装置を提供することを目的とする。
【課題を解決するための手段】
【０００７】
本発明者は、鋭意研究の結果、データホログラムが形成される記録層に隣接して、データホログラム形成のための物体光及び参照光の照射によって感光し尽くされないクロストーク層を設け、このクロストーク層に選択性の低いクロストークホログラムを重畳形成し、データホログラムの再生時には必ずクロストークホログラムが再生されるようにして、データ再生を不可能とできることが分かった。
【０００８】
即ち、以下の本発明により上記目的を達成することができる。
【０００９】
（１）第１及び第２の基板の間に、多重記録可能な記録層が設けられているホログラフィック記録媒体であって、前記記録層に、直接又はスペーサ層を介して隣接して、０．４８μｍ以上の厚みを有するクロストーク層を設けてなり、前記クロストーク層は、前記記録層でのデータホログラムの記録時の物体光と参照光との干渉縞に対して、不感又は極低感度に設定されたことを特徴とするホログラフィック記録媒体。
【００１０】
（２）前記記録層は厚みがｔ1、且つ、一点にＮ枚のデータホログラムが角度多重記録可能であって、前記クロストーク層の厚みｔ2は、ｔ2＜ｔ1／Ｎであることを特徴とする（１）に記載のホログラフィック記録媒体。
【００１１】
（３）前記クロストーク層は、前記記録層に対して、記録時における物体光及び参照光の入射側とは反対側に配置されたことを特徴とする（１）又は（２）に記載のホログラフィック記録媒体。
【００１２】
（４）前記クロストーク層は、前記記録層を２層に分離するように、その間に配置されたことを特徴とする（１）又は（２）に記載のホログラフィック記録媒体。
【００１３】
（５）前記記録層と前記クロストーク層との間に樹脂製スペーサ層を設けたことを特徴とする（１）、（２）又は（３）に記載のホログラフィック記録媒体。
【００１４】
（６）ホログラフィック記録媒体における記録層に多重記録されたデータホログラムに対して、記録層に実質的に隣接して設けられ、且つ、前記記録層でのデータホログラムの記録時の物体光と参照光との干渉縞に対して、不感又は極低感度に設定されたクロストーク層に、クロストークホログラムを重畳して形成することを特徴とするホログラフィック記録消去方法。
【００１５】
（７）前記データホログラムは角度多重記録されていて、前記消去用物体光の、ホログラフィック記録媒体を照射するビーム径を、前記データホログラム記録時の、ホログラフィック記録媒体を照射するビーム径の２〜１０倍とすることを特徴とする（６）に記載のホログラフィック記録消去方法。
【００１６】
（８）前記消去用参照光を、前記ホログラフィック記録媒体に対して、記録時の参照光の入射角度変調範囲内の入射角度で照射することを特徴とする（７）に記載のホログラフィック記録消去方法。
【００１７】
（９）前記データホログラム間の角度ピッチの複数分に相当する角度間隔の複数の入射角で、同時又は順次に前記消去用参照光を照射することを特徴とする（７）又は（８）に記載のホログラフィック記録消去方法。
【００１８】
（１０）前記消去用物体光に、ランダムな振幅変調を付与することを特徴とする（６）乃至（９）のいずれかに記載のホログラフィック記録消去方法。
【００１９】
（１１）前記消去用物体光を、前記記録時における物体光の照射用対物レンズの開口数よりも小さい開口数の対物レンズにより照射することを特徴とする（６）乃至（１０）のいずれかに記載のホログラフィック記録消去方法。
【００２０】
（１２）前記データホログラムは、位相コード多重記録されていて、前記消去用参照光を、記録時に用いられた位相コードと直交しないパターンで位相コード変調することを特徴とする（６）に記載のホログラフィック記録消去方法。
【００２１】
（１３）第１及び第２の基板の間に、記録層が設けられたホログラフィック記録媒体と、レーザ光源と、このレーザ光源からのレーザ光から分岐された物体光及び参照光を前記ホログラフィック記録媒体の記録層に導く物体光学系及び参照光学系と、を有してなり、前記物体光と参照光とを前記記録層に照射して、その干渉縞によりデータホログラムを形成して情報を記録し、前記参照光と同様の再生光を前記記録層に照射して回折光を発生させ、該回折光から情報を再生するホログラフィック記録再生装置であって、前記ホログラフィック記録媒体は、前記記録層に直接又はスペーサ層を介して隣接して配置された、０．４８μｍ以上の厚みを有するクロストーク層と、前記クロストーク層に、消去用物体光及び参照光を照射してクロストークホログラムを形成する消去光学系と、を設けてなり、前記クロストーク層は、前記データホログラムの記録時の物体光と参照光との干渉縞に対して、不感又は極低感度に設定されたことを特徴とするホログラフィック記録再生装置。
【００２２】
（１４）前記物体光学系及び参照光学系が前記消去光学系を兼ねていることを特徴とする（１３）に記載のホログラフィック記録再生装置。
【００２３】
（１５）前記消去光学系は、前記記録時の物体光及び参照光とは波長が異なる消去用物体光及び参照光を、クロストーク層に照射するようにされたことを特徴とする（１３）に記載のホログラフィック記録再生装置。
【００２４】
（１６）前記記録層は厚みがｔ1、且つ、一点にＮ枚のデータホログラムが角度多重記録可能であって、前記クロストーク層の厚みｔ2は、ｔ2＜ｔ1／Ｎであることを特徴とする（１３）乃至（１５）のいずれかに記載のホログラフィック記録再生装置。
【００２５】
（１７）前記消去光学系に、前記消去用物体光にランダムな振幅変調を付与する空間光変調器を設けたことを特徴とする（１３）乃至（１６）のいずれかに記載のホログラフィック記録再生装置。
【００２６】
（１８）前記参照光学系に、参照光を位相コード変調するための位相空間光変調器を設けると共に、前記消去光学系に、消去用参照光を、前記記録に用いられた位相コードと直交しないパターンで位相コード変調する消去用位相空間光変調器を設けたことを特徴とする（１３）乃至（１７）のいずれかに記載のホログラフィック記録再生装置。
【発明の効果】
【００２７】
本発明においては、ホログラフィック記録媒体における記録層にデータホログラムを形成する際は、クロストーク層はほとんど感光することなく、又クロストーク層にクロストークホログラムが形成された後は、データホログラムの再生時には必ずクロストークが生じるので、データの再生が不可能となり、実質的にデータが消去される。
【発明を実施するための最良の形態】
【００２８】
ホログラフィック記録媒体を、第１及び第２の基板と、これらの間の、データホログラムを多重記録可能な記録層及びこの記録層に実質的に隣接してクロストーク層により構成し、前記クロストーク層を、前記記録層でのデータホログラムの記録の際の物体光と参照光の縞に対して、感光し尽くされないように不感又は極低感度に設定し、ここに、前記データホログラムの記録時のブラッグ条件と同一のブラッグ条件で、消去用物体光及び消去用参照光を照射して、クロストークホログラムを形成する。
【実施例１】
【００２９】
以下、図１を参照して本発明の実施例１に係るホログラフィック記録再生装置１０について説明する。
【００３０】
このホログラフィック記録再生装置１０は、レーザ光源１２と、このレーザ光源１２から出射されたレーザ光を参照光（反射光）及び物体光（透過光）とに分岐するビームスプリッタ１４と、ホログラフィック記録媒体１６と、前記参照光を前記ホログラフィック記録媒体１６に導くための参照光学系１８と、前記物体光をホログラフィック記録媒体１６に導くための物体光学系２０と、前記ホログラフィック記録媒体１６に再生光を照射したときに発生する回折光によりデータを再生するための結像光学系２２とを備えて構成されている。
【００３１】
前記参照光学系１８は、前記ビームスプリッタ１４側から、回転ミラー１８Ａと、凹面ミラー１８Ｂとをこの順で備えて構成されている。
【００３２】
前記凹面ミラー１８Ｂは、前記回転ミラー１８Ａの回転中心及び前記ホログラフィック記録媒体１６における記録層１７と、前記物体光の照射光軸との交点をそれぞれ焦点とする仮想楕円１９の内周面に沿った反射面を有し、前記ビームスプリッタ１４から反射された物体光を回転ミラー１８Ａによって反射したとき、前記凹面ミラー１８Ｂでの反射光が必ず前記記録層１７と物体光の照射光軸との交点を通るようにされている。図の符号１８Ｃは、前記回転ミラー１８Ａの回転角度を制御するための制御装置を示す。
【００３３】
前記物体光学系２０は、前記ビームスプリッタ１４側から、前記ビームスプリッタ１４を透過したレーザ光のビーム径を拡大するためのビームエキスパンダ２０Ａと、ミラー２０Ｂと、空間光変調器２０Ｃと、フーリエレンズ２０Ｄとをこの順で備えて構成されている。
【００３４】
前記空間光変調器２０Ｃは、前記ホログラフィック記録媒体１６に記録すべきデータに対応して振幅変調され、該データを物体光に付与するようにされている。
【００３５】
前記結像光学系２２は、前記ホログラフィック記録媒体１６側から、結像レンズ２２Ａ及び撮像素子２２Ｂをこの順で配置して構成されている。
【００３６】
次に、図２を参照して、前記ホログラフィック記録媒体１６の構成を詳細に説明する。
【００３７】
図２に、模式的に拡大して示されるように、ホログラフィック記録媒体１６は、第１及び第２の基板１６Ａ、１６Ｂの間に、２層の分離された分割記録層１７Ａ、１７Ｂからなる前記記録層１７と、前記分離された分割記録層１７Ａ、１７Ｂの間に形成されたクロストーク層１７Ｃとを有して構成されている。
【００３８】
前記分割記録層１７Ａ、１７Ｂは、前記物体光学系２０及び参照光学系１８からの物体光と参照光との干渉縞によって、グレーティングが形成可能とされている。
【００３９】
又、前記クロストーク層１７Ｃは、その厚みが、分割記録層１７Ａ、１７Ｂと該クロストーク層１７Ｃの厚みの和に比べて薄く（１／１００〜１／５）とされ、前記記録時における物体光と参照光に対して、広い入射角度範囲でブラッグ条件を充足するようにされている。
【００４０】
又、クロストーク層１７Ｃは、前記分割記録層１７Ａ、１７Ｂと同様に、例えばフォトポリマーやフォトリフラクティブ結晶から構成されているが、記録層１７に対する記録時の物体光及び参照光の照射に対して、感光感度が消費し尽くされることなく、更に保管時の僅かな露光に対しても感光することがなく、記録層１７へのホログラフィック記録が完了し、アーカイバル補償期間が経過した後でも感光可能である材料が用いられている。
【００４１】
この場合、前記クロストーク層１７Ｃは、吸収端が記録光（物体光、参照光）よりも短波長側にある重合開始剤によって感光を発現するフォトポリマーや、ゲート光の有無によって感光能力のＯＮ／ＯＦＦが可能な２色ホログラム材料でもよく、更に、静電場の存在下でのみ感光性能を有するフォトリフラクティブ材料から構成してもよい。
【００４２】
又、クロストーク層１７Ｃの厚さは、上記のように分割記録層１７Ａ、１７Ｂに比べて薄く設定されているが、体積ホログラムとして機能するためには、少なくとも、０．４８μｍ以上の厚み（詳細後述）が必要である。
【００４３】
次に、前記ホログラフィック記録再生装置１０によって情報を記録再生及び消去する過程について説明する。
【００４４】
まず、レーザ光源１２から出射されたレーザ光は、ビームスプリッタ１４によって反射光としての参照光及び透過光としての物体光とに分岐される。
【００４５】
参照光は参照光学系１８に入射して、回転ミラー１８Ａ及び凹面ミラー１８Ｂによって反射されて、ホログラフィック記録媒体１６の記録層１７に照射される。
【００４６】
ここで、回転ミラー１８Ａの回転中心と記録層１７の、物体光の光軸との交点は、仮想楕円１９の２つの焦点となっているので、回転ミラー１８Ａの回転角度に関係無く、参照光は必ず記録層１７に入射する。
【００４７】
従って、前記回転ミラー１８Ａ及び凹面ミラー１８Ｂは、参照光のホログラフィック記録媒体１６への照射位置を固定したまま、その入射角のみを変化させ、この動作によって角度多重記録を実現している。
【００４８】
前記物体光学系２０に入射した物体光は、ビームエキスパンダ２０Ａによってそのビーム径を拡大され、更にミラー２０Ｂによって反射され、空間光変調器２０Ｃに入射する。
【００４９】
空間光変調器２０Ｃでは、記録すべき情報（データ）に応じて、物体光を振幅変調し、該物体光にデータを付与する。
【００５０】
このデータを付与された物体光は、前記フーリエレンズ２０Ｄによってその焦点でフーリエ変換されてから、前記記録層１７に入射される。図２に示されるように、記録層１７では、照射された物体光Ｏｂと参照光Ｒｅとの干渉縞に対応して、データホログラム２４が形成される。
【００５１】
再生時には、前記空間光変調器２０Ｃの全画素をＯＦＦとして、参照光Ｒｅのみを再生光としてホログラフィック記録媒体１６に照射する。このとき、再生したいホログラムに応じて記録時の参照光Ｒｅと同様に再生光の入射角を調整し、データホログラム２４からの回折光としてデータを含む物体光を再生する。
【００５２】
上記記録時において、物体光と参照光を記録層１７に照射した際に、前記クロストーク層１７Ｃにも照射されるが、該クロストーク層１７Ｃは、物体光Ｏｂと参照光Ｒｅに対する感光感度が低く、僅かに感光したとしても、記録層１７の全てにデータホログラムを形成した後でも感光感度が消費し尽くされないので、クロストークホログラム２６の形成が可能である。
【００５３】
又、前記再生時における再生光も、前記参照光と同一波長であり、その入射角度も同一であるので、クロストーク層１７Ｃは該再生光に対して感光しないか、あるいは感光したとしても非常に僅かである。
【００５４】
次に、前記記録層１７に記録されたデータホログラム２４を実質的に消去するためのクロストークホログラム２６を形成する過程について説明する。
【００５５】
このホログラフィック記録再生装置１０での消去過程では、前記記録時と同様の物体光学系２０及び参照光学系１８を消去光学系として用い、これらから、図２に示されるように、消去用物体光ＩＯｂ及び消去用参照光ＩＲｅをクロストーク層１７Ｃの広い範囲に照射する。特に消去用参照光ＩＲｅは、コリメート領域のビーム径を広くし（記録時のビーム径の２〜１０倍）、又、消去用物体光ＩＯｂには、空間光変調器２０Ｃでランダムな振幅を与え、且つ、拡散光として照射する。
【００５６】
ここでは、例えば図２に一点鎖線で示されるように、参照光Ｒｅの入射角の変調範囲の中心位置での入射角度を中心として、前記参照光と同様の消去用参照光ＩＲｅを照射すると同時に物体光と同様の入射角で消去用物体光ＩＯｂを照射して、クロストーク層１７Ｃにクロストークホログラム２６を形成する。
【００５７】
前記クロストーク層１７Ｃは、記録層１７と比較して薄いので、前記記録時の物体光及び参照光と同一波長の消去用物体光ＩＯｂ及び消去用参照光ＩＲｅの広い入射角度範囲でブラッグ条件を充足する。前記入射角と回折効率との関係は、図３において、クロストークホログラム２６の場合は一点鎖線２６Ａで示され、データホログラム２４の場合は実線２４Ａで示されるようになり、クロストークホログラム２６の選択性が低いことが分かる。
【００５８】
上記のような記録層１７を、前述と同様に再生光（参照光）で照射してデータを再生しようとすると、図４（Ａ）、（Ｂ）に示されるように、入射角度の異なる再生光Ｒｐ1、Ｒｐ2に対して、データホログラムとクロストークホログラムの再生像２４Ｂ、２６Ｂが必ず重畳して形成される。即ち、再生光の広い入射角度範囲で必ずクロストークホログラム２６が同時に再生されるため、実質的に再生不可能、即ちデータが消去されたことになる。
【００５９】
ここで、前記データホログラム２４とクロストークホログラム２６を再生するときの様子を、図５〜図７を参照して更に詳細に説明する。
【００６０】
一般的に、ホログラムは、図５の点線で示される参照光Ｒｅ０及び物体光Ｏｂ０によって予め記録されており、２つのレーザ光が形成する干渉縞をグレーティング（回折格子）Ｇｒとして保持している。
【００６１】
再生時には、再生光Ｒｐが記録時の参照光（又は物体光）と同じ入射角度でホログラフィック記録媒体１６へ入射されたときに回折効率が最大となるが、入射角が変化したときに回折効率が減ずる程度を表わしたのが、（１）〜（３）式である。
【００６２】
η＝sin2√（Φ2＋χ2）／（１＋χ2／Φ2）      …（１）
Φ＝πΔｎｄ／λcosθｗ                      …（２）
χ＝２πｄ／λ・Δθsinθｗ                  …（３）
【００６３】
ここでηは回折効率、即ち入射した再生光に対する回折光の強度比を表わす。Φはホログラムの光学的な厚みを再生光波長で規格化したもので、ここではホログラフィック厚と呼ぶことにする。又、χは再生光が記録時の参照光（又は物体光）とどれだけ「ずれ」ているかを表わす指標で、「ブラッグミスマッチ」と呼ばれる。ブラッグミスマッチχは波長の偏差Δλと入射角の偏差Δθに依存するが、ここでは波長シフトがない（Δλ＝０）ものとした。Δｎはグレーティングを形成する屈折率分布のコントラスト（屈折率変調度）、ｄは感光層の厚み、θｗは記録時の入射角、θは再生時の入射角とし、入射角の偏差をΔθ＝θ−θｗで定義した。
【００６４】
記録媒体の表面における屈折の効果も考慮した上で、外部入射角θ’と回折効率の関係を示したのが図６及び図７である。但し、表面反射による回折効率の低下は無視した。
【００６５】
図中の細かいピークがデータホログラム（ｔ１＝ｄ＝１ｍｍ）からの回折効率、幅の広いピークがクロストークホログラムからの回折効率を表わしている。いずれの場合も、データホログラムの厚みをｄ＝１ｍｍ、屈折率変調度を１×１０-5とし、隣り合うホログラムは参照光を０．１°のピッチで偏向して記録するようにした。一方のクロストークホログラムに関しては、図６では厚みをｔ２＝０．０２ｍｍ、図７ではｔ２＝０．０８ｍｍとした。厚みが変われば回折効率のピーク値も変わるが、ここではΔｎを調整してデータ及びクロストークのピーク値がほぼ等しくなるようにした。
【００６６】
実際、上記の数式においてχ＝０で、Φが小さい場合、回折効率ηは（Δｎｄ）の２乗に比例することが分かる。つまり、図６ではΔｎ＝５×１０-4、図７ではΔｎ＝１×１０-4とすれば、ほぼ同等の回折効率が得られる。
【００６７】
本発明を実施するために最も簡単な方法は、図６のように、多重化されたデータホログラムを１つのクロストークホログラムで再生不能な状態にすることである。
【００６８】
又、図７のように、複数のクロストークホログラムを重畳して同様の機能を得てもよい。図７において、破線で示されるピークは角度多重された４つのクロストークホログラムを表わす。幅の広いピーク（実線）はこの４つを足し合わせたもので、実際に観察される回折効率である。
【００６９】
ここでは、２１個のデータページを重畳した場合を例に挙げたが、実際には数百〜千枚以上の角度多重記録が行なわれることもあり、複数のクロストークホログラムを重畳しなければ十分な機能を得られない可能性がある。これはクロストークホログラムとして体積位相型のホログラムを前提としており、記録層の厚みに下限（通常数μｍ；後述参照）が存在するためである。但し、複数のクロストークホログラムを重畳する場合でも、それと同数のクロストーク層を積層する必要はなく、１つのクロストーク層内に複数のクロストークホログラムを角度多重記録すればよい。
【００７０】
前記の図７の場合、消去用参照光の入射角度を変化させながら複数のクロストークホログラムを記録する必要があり、データの消去に費やされる時間あるいはコストが増大してしまう。従って、重畳されるクロストークホログラムの数は少ない方がよい。このためには、できるだけクロストーク層の厚みを薄くした上で、少数のクロストークホログラムで全てのデータホログラムをカバーすることが好ましい。しかしながら、体積ホログラムとして機能するためには、光学系等によって決まる一定の厚みを持つ必要があり、これがクロストーク層の厚みの下限を規定する。
【００７１】
データホログラムは次の条件で形成されている。
【００７２】
λ；５３２ｎｍ
ｎ；１．５２
Δｎ；１Ｅ−０５
ｄ；１ｍｍ
θｗ；４５deg
θｉｎｔ；０．１deg
Λ；０．３７６μｍ
Ｋ：１６．７μｍ-1
【００７３】
ここで、Λはグレーティングの周期、Ｋはグレーティングの波数（Ｋ＝２π／Λ）、θｉｎｔはデータホログラム間の角度ピッチを示す。
【００７４】
体積ホログラム的な性質を表現するための条件は、
Ｑ＝２πλｔ／ｎΛ2  cosθ＞１０      …（４）
であり、前記パラメータ値を代入すると、クロストーク層厚みの下限値として０．５７μｍを得る。ここではθ’＝４５°（θ＝２７．７°）としたが、上式に対して最小の厚みを与えるのは、臨界角θｃ＝sin-1（１／ｎ）なので、
Ｑ＝２πλｔ／ｎΛ2  cos｛sin-1（１／ｎ）｝＞１０      …（５）
となり、クロストーク層厚みの最小値は０．４８μｍとなる。
【００７５】
前記各式で用いた各パラメータはホログラム記録における典型的な値であるが、本発明の効果を得るための条件を正確に与えるためには、前記のＱ値に対する条件を適用する必要がある。記録時の入射角のみならず、波長やグレーティング周期や屈折率も様々な値を取り得るかせである。
【００７６】
前記（４）、（５）式ではクロストーク層の最小厚みを求めたが、逆にクロストーク層が厚い場合については、原理的な制約はない（図８参照）。図８はクロストーク層の厚みを変化させたときに、クロストークホログラムのブラッグ選択性がどう変化するかを示したものである。回折効率の値はそれぞれのピーク値で規格化した。
【００７７】
前記（１）〜（３）式から分かるように、厚みの異なるホログラムでも屈折率変調度と厚みの積Δｎｄが等しければ同じ回折効率を与える。厚みが半分になっても、Δｎが２倍になれば回折効率は等しい。図８によれば、クロストーク層の厚みｔ２と、回折効率のピーク半値幅は反比例する。これらを総合すると、「クロストーク層がその機能を発現するために、厚みの上限はない」と言える。何故ならば、ｔ２が２倍になってピーク半値幅が半分になったとしても、Δｎも半分になっているので、クロストーク層には同じクロストークホログラムを２枚記録できるからである。この２枚のクロストークホログラムを適当な角度間隔で多重化すれば、はじめの場合（ｔ２が２倍になる前の場合）とほぼ同じ角度範囲のデータホログラムを再生不能にできる。但し、２枚のクロストークホログラムを記録しなければならないだけ、手間がかかる。
【００７８】
実際的なクロストーク層は、「１つのクロストークホログラムで全部のデータホログラムを再生不能にできる」という条件を充足することであり、その場合の厚みの上限は次のようになる。即ち、ホログラム選択性における回折効率のピーク幅は厚みに反比例するので、１点に角度多重記録されるデータホログラムの枚数をＮとすれば、ｔ２＜ｔ１／Ｎがクロストークホログラムの上限となる。
【００７９】
次に、クロストークホログラムがデータホログラムの再生を妨げるときの仕組みを説明する。
【００８０】
まず、クロストークホログラムの回折光量は、一見データホログラムと同程度である必要はない（図６及び図７では、簡単にするため同程度の回折効率を与えた）。
【００８１】
図９は、データホログラムからの再生像（回折光）を撮像素子にて撮影し、画素毎の検出光量（再生信号）をヒストグラムにしたものである。理想的にはｏｎ及びｏｆｆの信号はそれぞれ１及び０の光量として検出されるべきであるが、画素間の光学的干渉をはじめとするノイズによって広がりを持った分布となる。
【００８２】
分かり易く説明するため、ｏｎとｏｆｆの信号の閾値をそれぞれ０．６及び０．４とする。ここにクロストークホログラムによる回折像が重畳された場合を考える。クロストークホログラムの回折効率がデータホログラムのα倍とすると、（データ、クロストーク）の画素が（ｏｎ，ｏｎ）、（ｏｎ，ｏｆｆ）、（ｏｆｆ，ｏｎ）、（ｏｆｆ，ｏｆｆ）の組合せに対して、それぞれどのような光量が検出されるかを計算すればよい。
【００８３】
その結果、データのｏｆｆに対する光量の閾値（最大値）は０．４＋α（ｏｆｆ，ｏｎの場合）、データのｏｎに対する光量の閾値（最小値）は０．６−α（ｏｎ，ｏｆｆの場合）、となることが分かる。
【００８４】
何故なら、データホログラムの画素パターンとは無関係に、クロストークホログラムの画素パターンはランダムな配列を取るからである。つまり、αが０．１より大きければデータホログラムからの検出画像においてｏｎとｏｆｆの混合が生じ、良好な再生が妨げられるのである。実際のホログラフィック記録再生システムでは、それぞれの符号化やエラー訂正方式によって前記閾値（０．４や０．６）が決められるが、一般的にエラー訂正可能なビットエラー率（訂正前）は１０-3程度なので、αが０．１より少しでも大きければよい（例えば０．１１）。
【実施例２】
【００８５】
次に、図１０に示される、本発明の実施例２に係るホログラフィック記録再生装置３０について説明する。
【００８６】
このホログラフィック記録再生装置３０は、位相コード多重記録用であって、クロストークホログラムも、位相コードパターンが付与される。
【００８７】
このホログラフィック記録再生装置３０は、前記図１に示されるホログラフィック記録再生装置１０に対して、参照光学系の構成が相違し、他の構成については同一であるので、ホログラフィック記録装置１０と共通部分に同一の符号を付することによって説明を省略するものとする。
【００８８】
このホログラフィック記録再生装置３０における参照光学系３２は、ビームスプリッタ１４側から、ビームスプリッタ１４で反射されたレーザ光のビーム径を拡大するためのビームエキスパンダ３２Ａと、一対のミラー３２Ｂ、３２Ｃと、位相空間光変調器３２Ｄと、ミラー３２Ｅと、フーリエレンズ３２Ｆと、をこの順で配置して構成されている。
【００８９】
このホログラフィック記録再生装置３０によってデータを記録し且つ再生する場合は、従来と同様の位相コード多重記録により行なう。
【００９０】
即ち、物体光は物体光学系２０における空間光変調器２０Ｃにより振幅変調としてデータを付与される。又、参照光は、参照光学系３２における位相空間光変調器３２Ｄによって、位相変調としてアドレスを付与され、共にフーリエレンズ２０Ｄ、３２Ｆによって集光されて、ホログラフィック記録媒体１６に照射される。
【００９１】
前記実施例１における角度多重記録の場合と同様に、消去用物体光及び消去用参照光はホログラフィック記録再生装置３０の物体光学系２０及び参照光学系３２によって、ホログラフィック記録媒体１６に照射される。
【００９２】
なお、位相コード多重記録の場合、物体光、参照光共に機械的に非可動であるので、角度多重記録の場合と違って、クロストークホログラム記録時の物体光のビーム径を太くする必要がない。
【００９３】
前記記録時に、前記位相空間光変調器３２Ｄは、記録時におけるどの位相コードとも直交しないパターンを表示するようにされる。
【００９４】
ここで、位相コードパターンが直交するとは、２つの位相コード中の同じ位置にある画素同士を掛け合わせて、全画素に亘って和をとった時に０になることを意味する。但し、位相変調量をθとして、画素の値はｅｘｐ（ｉθ）である。
【００９５】
位相コード多重記録の原理によれば、直交しない位相コードによって変調されたホログラムは、互いに分離することができず、一方を再生すれば同時に他方も再生される。
【００９６】
従って、再生時には、データホログラムの全ての位相コードパターン（アドレス）は、クロストークホログラムと直交しないので、どのデータホログラムを再生しても、クロストークホログラムが同時に再生され、従って、実質的にデータが消去されたことになる。
【００９７】
なお、上記実施例１、２において、ホログラフィック記録媒体１６は、２つの分割記録層１７Ａ、１７Ｂの間にクロストーク層１７Ｃを形成して構成したものであるが、本発明はこれに限定されるものでなく、例えば、図１１（Ａ）に示されるように、１層の記録層１７に対して、物体光あるいは参照光の入射方向と反対側に隣接してクロストーク層１７Ｃを設けるようにしてもよい。
【００９８】
更に、図１１（Ｂ）に示されるように、記録層１７とクロストーク層１７Ｃとの間に、剛性を維持するための硬質のスペーサ層１７Ｄを設けるようにしてもよい。
【００９９】
この場合、スペーサ層１７Ｄは、例えば放射線照射によって硬化する樹脂で構成したり、シート状プラスチックを貼付けして形成するとよい。
【０１００】
なお、上記実施例１、２において、記録時の物体光及び参照光に対して消去用物体光及び消去用参照光は、同一波長とされているが本発明はこれに限定されるものでなく、異なる波長の消去用物体光及び消去用参照光を用いてもよい。
【０１０１】
この場合、レーザ光源１２とは別個にレーザ光源を設けたり、レーザ光源１２からのレーザ光の波長を変換する素子を設けたりする必要がある。
【図面の簡単な説明】
【０１０２】
【図１】本発明の実施例１に係るホログラフィック記録再生装置を示す光学系統図
【図２】同実施例１におけるホログラフィック記録媒体と参照光、物体光、消去用参照光、消去用物体光、データホログラム及びクロストークホログラムの関係を模式的に示す拡大断面図
【図３】同実施例１におけるデータホログラムとクロストークホログラムの再生時における再生光の入射角と回折効率との関係を示す線図
【図４】同ホログラフィック記録媒体に入射角度を変えて再生光を照射した場合の回折光の状態を模式的に示す拡大断面図
【図５】一般的なホログラフィック記録媒体におけるホログラム再生時の状態を模式的に示す拡大断面図
【図６】実施例１において、多重化されたデータホログラムを１つのクロストークホログラムで再生不能な状態にした場合の再生光の入射角と回折効率との関係を示す線図
【図７】多重化されたデータホログラムを複数のクロストークホログラムによって再生不能にする場合の再生光の入射角と回折効率との関係を示す線図
【図８】クロストーク層の厚みを変化させるときにおけるクロストークホログラムのブラッグ選択性の変化を、再生光の入射角と回折効率との関係で示す線図
【図９】データホログラムからの再生像を撮像素子にて撮影し、画素毎の再生信号値と頻度との関係を示すヒストグラム
【図１０】本発明の実施例２に係るホログラフィック記録再生装置を示す光学系統図
【図１１】クロストーク層の配置の変形例を模式的に示す拡大断面図
【符号の説明】
【０１０３】
１０、３０…ホログラフィック記録再生装置
１２…レーザ光源
１６…ホログラフィック記録媒体
１６Ａ…第１の基板
１６Ｂ…第２の基板
１７…記録層
１７Ａ、１７Ｂ…分割記録層
１７Ｃ…クロストーク層
１７Ｄ…スペーサ層
１８…参照光学系
１８Ｃ…制御装置
２０…物体光学系
２０Ｃ…空間光変調器
２４…データホログラム
２６…クロストークホログラム
３２…参照光学系
３２Ｄ…位相空間光変調器
【図１】
2005189496.tif 000003
【図２】
2005189496.tif 000004
【図３】
2005189496.tif 000005
【図４】
2005189496.tif 000006
【図５】
2005189496.tif 000007
【図６】
2005189496.tif 000008
【図７】
2005189496.tif 000009
【図８】
2005189496.tif 000010
【図９】
2005189496.tif 000011
【図１０】
2005189496.tif 000012
【図１１】
2005189496.tif 000013